(57)【要約】      （修正有）【課題】プレートの表面におこるこすり傷を減少させることができる回転式の螺旋状のブラシの提供。【解決手段】回転軸および二つの該回転軸を覆いかぶす螺旋状のブラシングメンバーを含み、該二つの螺旋状のブラッシングメンバーは、それらの相当する連続する螺旋状のフレームの表面上に複数の剛毛を設置され、相互の反対の方向への回転により組み立てられる。二つの螺旋状のブラシングメンバーの一つの複数のリングは、交互に、他の螺旋状のブラシングメンバーの複数のリングと関連付けて、設置され、複数の螺旋状のフレームの全てのリング上の複数の剛毛の傾斜の程度は増加し、各リング上の複数の剛毛と清浄化されるプレートの表面の間の接触面積を増加させる。【選択図】図３
0003126460.tif 000002
【実用新案登録請求の範囲】
【請求項１】
改善された回転式の螺旋状のブラシであって、該回転式の螺旋状のブラシは、回転軸および少なくとも第一及び第二の該回転軸を覆いかぶす螺旋状のブラシングメンバーを含み、該回転軸の回転が該2つの螺旋状ブラシングメンバーを移動させ回転させる改善された回転式の螺旋状のブラシであって、
該二つの螺旋状のブラッシングメンバーは２つの相当する連続する螺旋状のフレームの表面上に複数の剛毛を有し、交互に回転するように設置され、それによって、第一の螺旋状のブラッシングメンバーの複数のリングは、該第二の螺旋状のブラッシングメンバーの複数のリングに関連付けて、交互に、設置され、該複数の螺旋状のフレイムの該複数のリングの各々の上の複数の剛毛の傾斜の程度は、該複数のリングの各々の上の該複数の剛毛と清浄化されるプレートの表面の間の接触面積を増加させるために、増加していることを特徴とする改善された回転式の螺旋状のブラシ。
【請求項２】
当該第二の螺旋状のブラシングメンバー上の複数の剛毛が、スポンジによって置換されている請求項１に記載の改善された回転式の螺旋状のブラシ。
【請求項３】
当該回転式螺旋状のブラシが、三又はそれ以上の螺旋状のブラシングメンバーを含み、該螺旋状のブラシングメンバーの各複数のリングは、該螺旋状の複数のブラシングメンバーの複数の残余の複数のリングに関連付けて、交互に、設置され、全ての該螺旋状の複数のブラシングメンバーは、別の一つとは逆の方向に、回転して、組み立てられる請求項１に記載の改善された回転式の螺旋状のブラシ。
【考案の詳細な説明】
【技術分野】
【０００１】
本発明は、プレートの表面を清浄化するために、改善された回転式螺旋状のブラシに関し、特に螺旋状のブラシングメンバーをもつ回転式螺旋状ブラシに関する。
【背景技術】
【０００２】
様々な回転式掃除のあるいはブラシをかける機具がある。そのような種類の典型的な機具は、ビルディングの装置を洗浄する、或は科学、技術産業等用の装置を洗浄するグラス・カーテンウォールである。そこにおいて、回転式の掃除若しくはブラシング機具は、使用時、汚れを排除するのに、プレートの表面上で、移動する。
【０００３】
図1と図2は、通常用いられている回転式ブラシング機具を示し、それは回転軸91の上に覆いかぶさる螺旋状のブラシングメンバー92をもち、この螺旋状のブラシングメンバー92は、連続する螺旋状フレーム921の表面上に複数の剛毛922で覆われている。この螺旋状のブラシングメンバー92は、回転軸91によって回転され、清浄化されるプレートの表面上で複数の剛毛922を移動させ、かくして清浄化効果が提供されうる。
【０００４】
この螺旋状のブラシングメンバー92の連続する螺旋状のフレーム921の各リングは他のリングと必須であることによって、図２に示すように、各リングの二つの末端ａ１，ｂ１は、傾斜の程度のより少ない傾斜セクションを形成する。これは、清浄化されるプレート表面と、各リング上の複数の剛毛922間の接触面積を減少させる。そして、それによって、清浄化効果は低められる。
【０００５】
完全なる清浄化効果を達成する目的のために、回転軸91の回転率は、複数の剛毛922を、プレートの表面を完全に清浄化することができるようにするために、上昇させねばならない。しかしながら、高速では、この螺旋状のブラシングメンバー92の遠心力の増加で、振動が、清浄化されるプレートにこすり傷をおこしてしまうこととなる。科学技術産物（例えば、デイスプレイのパネルのような）が清浄化されるとき、このようなこすり傷は解決されねばならない重大な光学的欠点をもたらすかもしれない。
【考案の開示】
【考案が解決しようとする課題】
【０００６】
【課題を解決するための手段】
【０００７】
従来の技術の上記の欠陥を考慮して、本発明は、改良された回転式の螺旋状ブラシを提供し、それは回転軸と第一及び第二の螺旋状の、回転軸を覆う、ブラシングメンバーを含み、それによって、この回転軸の回転がこの二つの螺旋状のブラシングメンバーを移動させ回転させる；この二つの螺旋状のブラシングメンバーはそれらの相当する連続螺旋状の複数のフレームの表面上に複数の剛毛が設置され、そして、相互の逆方向での回転によって、組み立てられる。それによって、第一の螺旋状のブラシングメンバーの複数のリングは、第二の螺旋状のブラシングメンバーの複数のリングに関連づけて、交互に、配置される。複数の螺旋状のフレームの全てのリング状の複数の剛毛の傾斜の程度は、各リング上の複数の剛毛と清浄化されるプレートの表面の間の接触面積を上げるために、増加される。
【０００８】
本発明は、改良された回転式の螺旋状のブラシを提供し、複数の螺旋状のフレームの各リング上の複数の剛毛と清浄化されるプレートの表面の間の接触面積が増加し、かくして、回転軸はより遅く回転し、それによって、複数の螺旋状のブラシングメンバーの遠心力の問題と振動を減少させ、それによって、プレートの表面におこるこすり傷を減少させることができる。
【０００９】
さらに本発明においては、螺旋状の複数のブラシングメンバーの一における複数の剛毛は、螺旋状のブラシの水吸収力を増加させるために、スポンジで置き換えることができる。
【００１０】
本発明は、図面を参照して、それの好ましい具体化の詳細な説明によって、その構造及び使用の効果は、明白になる。
【考案を実施するための最良の形態】
【００１１】
図３〜５に示すように、本発明の改良回転式螺旋状のブラシは、主に、回転軸10と第一及び第二の螺旋状のブラシングメンバー21、22を含む。第一及び第二の螺旋状のブラシングメンバーは、回転軸10に覆いかぶさり、それによって回転軸10が回転するとき、二つの螺旋状のブラシングメンバー21、22は回転して移動する。
【００１２】
第一及び第二の螺旋状のブラシングメンバーは、それらの相当する連続する螺旋状の複数のフレーム211、221を持ち、その表面上に、複数の剛毛212、222が設置されている。図４と５に示すように、第一の螺旋状のブラシングメンバー21と第二の螺旋状のブラシングメンバー22は、相互に逆方向への回転で組み立てられ、全てのリング上の複数の剛毛212、222の傾斜の程度は増加し、各リング上の複数の剛毛212、222と清浄化されるプレートの表面の間の接触面積を増加させている。
【００１３】
図５は、二つの螺旋状のブラシングメンバー21、22に関し、その螺旋状のフレーム211の複数のリングは、相互に大変緊密になるように、交互に、螺旋状のフレーム221の複数のリングに関連付けて設置され、各リングの二つの末端ａ２，ｂ２は、通例的な各リングの複数の末端ａ１、ｂ１間で形成された傾斜の程度よりより大きい傾斜度をもつ、傾斜セクションを形成する。それにより、各リング上の複数の剛毛212、222と清浄化されるプレートの表面との間の接触面積が上昇する。この条件下、回転軸10の回転率は、通例の技術での高い回転率でのみ成し遂げられる清浄効果を得るために、より低い数値で可能である。例えば、通例の技術での回転率は1000ｒｐｍである。一方、本発明で使われた、二つの螺旋状のブラシングメンバー21、22がある場合には、通例の技術で達成されたのと同じ清浄効果が、500ｒｐｍで達成できる。
【００１４】
さらに、本発明では、より低い回転率を使うので、回転軸10を覆う螺旋状のブラシングメンバー21、22の遠心力は低く、振動の問題は減少し、清浄化されるプレート表面のこすり傷の発生を減少させることができる。
【００１５】
本発明は、通例の技術と比較して、もし両者がその螺旋状のフレーム上で100回転するならば、本発明は、傾斜のより大きい程度をもって傾斜するように、各リング上に剛毛212又は222を、相互に、交互に、組み立てられたその螺旋状のブラシングメンバー21、22を持つという事実によって、通例的な技術と同じ材料を使っても本発明によって得られる清浄効果は、上昇されうる。
【００１６】
そして、図６には、本発明の別の好ましい実施態様を示す。この態様では、第二の螺旋状のブラシングメンバー22上の複数の剛毛222が、トータルでの螺旋状のブラシの水吸収力を高めるためにそして洗浄物をえるために、スポンジ223で置き換えられている。
【００１７】
上記、詳細な説明及び複数の図面は、本発明の範囲をどんな制限も与えるためにではなく、本発明の好ましい実施例の例証のためにのみある。本発明の範囲を、逸脱しない、本発明の要素に様々な等価な修正あるいは変更を行なうことができることは、当業者には明白である。例えば、ブラシングメンバーをある他の材料で代用することができる、あるいは、螺旋状のブラシングメンバーの量は増加することができる（例えば、三つ、四つ、或はそれ以上）。よって、全てのそのような修正および変更は、本発明のクレームの範囲内にある。
【図面の簡単な説明】
【００１８】
【図１】従来の螺旋状回転式掃除又はブラッシングの装置の外観を示す遠近図である。
【図２】従来の螺旋状ブラシの断面図である。
【図３】本発明の好ましい実施例の分解図である。
【図４】組み立て後の、本発明の好ましい実施例の遠近図である。
【図５】本発明の好ましい実施例の断面図である。
【図６】本発明の別の好ましい実施例を示す断面図である。
【符号の説明】
【００１９】
９１：回転軸
９２：メンバー
９２１：連続的な螺旋状の構造
９２２：剛毛
１０：回転軸
２１：メンバー
２２：メンバー
２１１：連続的な螺旋状の構造
２２１：連続的な螺旋状の構造
２１２：剛毛
２２２：剛毛
ａ１：末端
ａ２：末端
ｂ１：末端
ｂ２：末端
２２３：スポンジ
【図１】
0003126460.tif 000003
【図２】
0003126460.tif 000004
【図３】
0003126460.tif 000005
【図４】
0003126460.tif 000006
【図５】
0003126460.tif 000007
【図６】
0003126460.tif 000008